(57)【要約】【課題】特に高音域が高音質のイヤホンを提供すること。【解決手段】ダイナミック型のウーハ２と圧電素子型のツイータ３とを収容し、パイプ状の導音孔４を有するハウジング本体１を備えたイヤホンにおいて、ツイータ３を導音孔４のハウジング本体１側の端部に当接させる。ツイータ３に、ウーハ２からの音響を通過させる孔部３２を設ける。ツイータ３が出力する高音が及びウーハ２が出力する低音が、共に、確実に導音孔４から伝達され、高音質のイヤホンとなる。【選択図】図２
2016225856.tif 000002
【特許請求の範囲】
【請求項１】
ダイナミック型のウーハと圧電素子型のツイータとを少なくとも収容するハウジング本体と、
前記ハウジング本体に設けられたパイプ状の導音孔とを備え、
前記ツイータは、前記導音孔の前記ハウジング本体側の端部に当接し、前記ウーハからの音響を前記導音孔に伝達するための孔部を備えることを特徴とする、イヤホン。
【請求項２】
前記孔部は、前記ツイータの圧電素子及び振動板に設けられた孔であることを特徴とする、請求項１に記載のイヤホン。
【請求項３】
前記ツイータの振動板の形状は、前記導音孔の断面の全てを被覆するものではなく、
前記孔部は、前記振動板と前記導音孔との間に形成される空隙により構成されることを特徴とする、請求項１に記載のイヤホン。
【発明の詳細な説明】
【技術分野】
【０００１】
本発明は、イヤホンに関する。
【背景技術】
【０００２】
イヤホンとしては、カナル型やセミオープン型のものが広く用いられている。いずれも、スピーカの設けられたハウジング本体から、耳孔に向けて音（空気）を伝達する導音孔を有する。導音孔は、ハウジング本体内のスピーカよりも小径であることが多い。
【０００３】
上記の構造は、以下の問題点を有するものである。すなわち、低音は指向性が小さくハウジング内での減衰も少ない。一方、高音は指向性が大きく、かつ、ハウジング内の反射により減衰する。スピーカよりも小径の導音孔に向けてスピーカから出力された音の全てが減衰のない十分な強度で伝送されるものではない。このため、導音孔から耳（鼓膜）に伝えられる音響は、高音の弱い低音質のものとなってしまう。
【０００４】
従来のイヤホンは、例えば特許文献１に開示されたように、低音域を出力するウーハと、高音域を出力するツイータとが、ハウジング本体の軸方向に同軸に設けられ、ツイータの発する音響は導音孔に向けて直進させるものではなかった。このため、上記の問題点が解決されていなかった。
【先行技術文献】
【特許文献】
【０００５】
【特許文献１】特開２００４−１４７０７７号公報
【発明の概要】
【発明が解決しようとする課題】
【０００６】
本発明は、特に高音域が高音質のイヤホンを提供することを課題とする。
【課題を解決するための手段】
【０００７】
ウーハとツイータとを有するイヤホンにおいて、ツイータの発する音響を導音孔に向けて直進させることで、課題を解決する。
【０００８】
本発明のイヤホンは、
ダイナミック型のウーハと圧電素子型のツイータとを少なくとも収容するハウジング本体と、
前記ハウジング本体に設けられたパイプ状の導音孔とを備え、
前記ツイータは、前記導音孔の前記ハウジング本体側の端部に当接し、前記ウーハからの音響を前記導音孔に伝達するための孔部を備えることを特徴とする。
【０００９】
この特徴によれば、ツイータの音響出力方向が導音孔の軸方向に一致するので、ツイータの出力する音響を導音孔に向けて直進させることができる。指向性や減衰の問題が解消する。また、孔部が存在するので、ウーハからの音響も導音孔に向けて伝達される。
【００１０】
本発明のイヤホンは、
前記孔部は、前記ツイータの圧電素子及び振動板に設けられた孔であることを特徴とする。
【００１１】
この特徴によれば、孔によって共振周波数が多様となり、周波数特性が改善される。
【００１２】
本発明のイヤホンは、
前記ツイータの振動板の形状は、前記導音孔の断面の全てを被覆するものではなく、
前記孔部は、前記振動板と前記導音孔との間に形成される空隙により構成されることを特徴とする。
【００１３】
この特徴によれば、圧電素子に特殊な設計をせずにウーハからの音響を導音孔に伝達することができる。
【発明の効果】
【００１４】
本発明によれば、ツイータの音響出力方向を導音孔の方向に合わせることができ、高音域が高音質のイヤホンを提供することが可能となる。
【図面の簡単な説明】
【００１５】
【図１】図１は、従来のイヤホンを説明する図である。
【図２】図２は、本発明のイヤホンの概念を示す図である。
【図３】図３は、本発明のイヤホンの例を示す図である。
【発明を実施するための形態】
【００１６】
図１は、従来のイヤホンを説明する図である。ハウジング本体１に内部にダイナミック型のウーハ２と圧電素子型のツイータ３（圧電素子及び振動板３１）が設けられている。
【００１７】
ウーハ２とツイータ３は、共に、音響出力方向がハウジング本体１の軸方向（図における上下方向）である。ツイータ３よりも小径の導音孔４が、円筒形に設けられている。
【００１８】
ウーハ２から出力される低音は、指向性が小さく、図１（Ａ）に示すように、導音孔４から伝達される。
【００１９】
これに対し、ツイータ３から出力される高音は、指向性が大きく、図１（Ｂ）に示すように、減衰し、導音孔４から伝達される音量が小さくなってしまう。なお、図においては導音孔４をハウジング本体１の非中央に描いたが、導音孔４の径がツイータ３よりも小さい限り、導音孔４がハウジング本体１の中央に存在しても、同様に減衰する。
【００２０】
図２は、本発明のイヤホンの概念を示す図である。ツイータ３を導音孔４の直下にその音響出力方向を導音孔４の軸方向に一致させて設ける。こうすることで、ツイータ３から出力される高音が、反射されてハウジング本体に戻ることなく、導音孔４から伝達される。
【００２１】
なお、ウーハ２とツイータ３のみを示したが、本発明の要点はツイータ３の配置にある。ツイータ３以外の低中音を出力するものはウーハ２に限定されず、例えばスコーカを含んでもよい。ウーハ２は、ツイータ３以外の低中音を出力するものを１個に示したものである。
【００２２】
以下、ツイータ３を導音孔４の直下にその音響出力方向を導音孔４の軸方向に一致させて設ける具体的な実施例を示す。
【実施例１】
【００２３】
図３は、本発明のイヤホンの例を示す図である。図３（Ａ）は断面図である。ツイータ３は、導音孔４のハウジング本体側の端に当接している。ツイータ３から出力される高音が、減衰することなく導音孔４から伝達される。
【００２４】
図３（Ｂ）は、ツイータ３の形状を示す図である。ツイータ３が導音孔４の端部を完全に閉塞してしまうと、ウーハ２からの音響（空気）が導音孔４に到達しなくなってしまう。そこで、ツイータ（圧電素子）３及び振動板３１に孔部３２が設けられている。ウーハ２からの音響は、孔部２を通り導音孔４から伝達される。
【００２５】
図３（Ｃ）は、ツイータ３の形状のバリエーションを示す図である。孔部３２は、圧電素子に設けられていなくともよい。図のように、振動板３１の周縁を凹形とすることで、振動板３１の周縁が孔部として機能する。
【産業上の利用可能性】
【００２６】
高音質のイヤホンであり、多くの音響機器製造業者による利用が考えられる。
【符号の説明】
【００２７】
１    ハウジング本体（イヤホン）
２    ウーハ
３    ツイータ（圧電素子）
３１  振動板
３２  孔部
４    導音孔
【図１】
2016225856.tif 000003
【図２】
2016225856.tif 000004
【図３】
2016225856.tif 000005